(57)【要約】【課題】安価で小型化したもので、必要に応じて、扉を途中で一時固定しうることも可能にした開戸固定機構と閉戸緩衝機構を有し、これ等が蝶番を主体にして設けた開き戸の開閉装置を提供する。【解決手段】扉２と戸枠３と蝶番４とからなり、蝶番４は扉２の基端部２ａと戸枠３の基端部３ａで回動自在に枢着し、蝶番４の軸４２と軸４２に外装して左右に開閉するヒンジ４３ａ，４３ｂとからなり、蝶番４と戸枠３には閉戸緩衝機構を設けてなり、該閉戸緩衝機構は蝶番４に設けた扉２が閉鎖する方向に付勢したコイルスプリング４１と戸枠３に取り付けけた小型アブソーバ５とからなり、一方蝶番４には開戸固定機構を設けてなり、該開戸固定機構は蝶番４の回転軸側の開戸方向に設けた凹部４７及び縦凹溝４８の何れかと、蝶番４のフレーム側に設けた軸側の同じく開戸方向に突出した弾発性の凸舌片４６との凹凸嵌合で係止させた扉の開閉装置１を構成するものである。【選択図】図４
2009097157.tif 000002
【特許請求の範囲】
【請求項１】
扉と戸枠と蝶番とからなり、該蝶番は前記扉と前記戸枠を前記扉の基端部と前記戸枠の基端部で回動自在に枢着し、前記蝶番の軸と該軸に外装して左右に開閉する蝶番のヒンジとからなり、前記蝶番と前記戸枠には閉戸緩衝機構を設けてなり、該閉戸緩衝機構は前記蝶番に設けた前記扉が閉鎖する方向に付勢したコイルスプリングと前記戸枠に取り付けけた小型アブソーバとからなり、一方蝶番には開戸固定機構を設けてなり、該開戸固定機構は前記蝶番の回転軸側の開戸方向に設けた凹部及び縦凹溝の何れかと、前記蝶番のフレーム側に設けた軸側の開戸方向に突出した弾発性の凸舌片との凹凸嵌合で係止させることを特徴とする扉の開閉装置。
【請求項２】
ヒンジが、１．５〜２．５ｍｍ厚のステンレスからなる請求項１記載の扉の開閉装置。
【請求項３】
コイルスプリングが、鋼からなリ、２〜３ｍｍ径の焼き入れしたものからなる請求項１記載の扉の開閉装置。
【請求項４】
開戸固定機構の係止が、扉の開き角度で、人の通れる３０゜近辺、９０゜の中間位置、及び１８０゜の全開位置である請求項１記載の扉の開閉装置。
【請求項５】
扉と戸枠と蝶番とからなり、該蝶番は前記扉と前記戸枠を基端部で回動自在に枢着し、前記蝶番の軸と該軸に外装して左右に開閉するヒンジとからなり、前記蝶番と前記戸枠には閉戸緩衝機構を設けてなり、該閉戸緩衝機構は蝶番に設けた扉が閉鎖する方向に付勢したコイルスプリングと前記戸枠に取り付けた小型アブソーバとからなり、前記ヒンジが１〜２ｍｍ厚のステンレスからなり、前記コイルスプリングが１．５〜２．５ｍｍ径の鋼からなることを特徴としする扉の開閉装置。
【請求項６】
コイルスプリングが、チタン等のバネ材使用可能な材料からなる請求項１または請求項５記載の扉の開閉装置。
【請求項７】
扉に把手を設け、該把手の高さを調節しうるようにした請求項１または請求項５記載の扉の開閉装置。
【発明の詳細な説明】
【技術分野】
【０００１】
本発明は、扉の開閉装置に係るものであり、更に詳しくは閉戸緩衝機構と開戸固定機構を備えた開き戸の開閉装置に関するものである。
【背景技術】
【０００２】
扉の開閉装置としては、扉の閉鎖時に衝撃を吸収させて、扉をゆっくりと閉める閉戸緩衝機構が必要であり、また扉が開けた状態で止めておく開戸固定機構も必要である。閉戸緩衝機構としては、ダッシュポットや粘性回転ダンパーやオイルアプソーバ等の各種方式が提案されている。
【０００３】
その中で、一番多く使用されているのは、ばねを内蔵した油圧シリンダーによるダッシュポット方式である（例えば特許文献１）。しかし、ダッシュポット方式は、機材が大型になり、高価な点が欠点となっている。
【特許文献１】特公昭６１−１０６３２号公報
【０００４】
ばねを内蔵しないオイルアブソーバの中には、小型化を可能にしたものがある（例えば特許文献２）。特許文献２は、本発明の出願人らが特注したアブソーバを使用して、先に出願したものであるが、引戸に関するものであり、本発明は開き戸を対象にしている。
【特許文献２】特開２００７−８５１０１号公報
【０００５】
開き戸を対象に、小型アブソーバを使用した先行技術も提案されている（例えば特許文献３）。特許文献３に記載のものは、小型アブソーバをダンパー部材と称して、開口上枠の下面に沿うガイド内に収納している。しかし、このアブソーバは、やはり大型部品と同様に扉と戸枠に連結していて、簡単で安価なものではない。
【特許文献３】特開平１０−１３１６０２号公報
【０００６】
アブソーバのような緩衝機材には、扉を閉じる方向に付勢するスプリングを設ける必要がある。特許文献３に記載されたものは、同じガイド内にダンパー部材を引き寄せる方向に付勢する引張ばねを使用している。しかし、扉を閉じる方向に作用させる弾発性機材は、蝶番の回転軸に取り付けることもでき、この先行技術も提案されている（例えば特許文献４）。
【特許文献４】特許第３６３０４１７号公報
【０００７】
この特許文献４に記載のものは、広く利用されている粘性回転ダンパーによるものである。しかし、回転ダンパーとしては、コイルスプリングを使用することもできる。この先行技術も、開示されている（例えば特許文献５）。しかし特許文献５ニ記載のものは単独の使用であって、アブソーバと一体に使用したものではなく、コイルスプリングの強さの元となる径を詳細に検討したり、焼き入れする等の配慮がなされたものではない。
【特許文献５】特開平１０−８８８９９号公報
【０００８】
一方、開戸固定機構は、特許文献２に記載されたもののように、凹凸嵌合部材や磁石等を、扉と戸枠に取り付けるのが一般的である。しかし、開戸固定機構を回転軸に取り付けることもできる。しかし、従来の開戸固定機構は、開ききった状態での固定が主体であって、一人が通れる程度の開き途中等で、凹溝と凸舌片との嵌合による係止によって、一時、扉を固定させるという開戸固定機構は、従来みあたらない。
【発明の開示】
【発明が解決しようとする課題】
【０００９】
上記の事情に鑑み本発明は、安価で小型化したもので、必要に応じて、扉を途中で一時固定しうることも可能にした開戸固定機構と閉戸緩衝機構を有し、これ等が蝶番を主体にして設けた開き戸の開閉装置の提供を課題とする。
【課題を解決するための手段】
【００１０】
本発明は上記目的を達成するために、扉と戸枠と蝶番とからなり、該蝶番は前記扉と前記戸枠を前記扉の基端部と前記戸枠の基端部で回動自在に枢着し、前記蝶番の軸と該軸に外装して左右に開閉する蝶番のヒンジとからなり、前記蝶番と前記戸枠には閉戸緩衝機構を設けてなり、該閉戸緩衝機構は前記蝶番に設けた前記扉が閉鎖する方向に付勢したコイルスプリングと前記戸枠に取り付けた小型アブソーバとからなり、一方蝶番には開戸固定機構を設けてなり、該開戸固定機構は前記蝶番の回転軸側の開戸方向に設けた凹部及び縦凹溝の何れかと、前記蝶番のフレーム側に設けた軸側の開戸方向に突出した弾発性の凸舌片との凹凸嵌合で係止させる扉の開閉装置を構成するものである。
【００１１】
また、本発明は上記目的を達成するために、扉と戸枠と蝶番とからなり、該蝶番は前記扉と前記戸枠を基端部で回動自在に枢着し、前記蝶番の軸と該軸に外装して左右に開閉するヒンジとからなり、前記蝶番と前記戸枠には閉戸緩衝機構を設けてなり、該閉戸緩衝機構は蝶番に設けた扉が閉鎖する方向に付勢したコイルスプリングと前記戸枠に取り付けた小型アブソーバとからなり、前記ヒンジが１〜２ｍｍ厚のステンレスからなり、前記コイルスプリングが１．５〜２．５ｍｍ径の鋼からなる扉の開閉装置を構成するものである。
【発明の効果】
【００１２】
本発明の扉の開閉装置は、機構が簡単なため、従来のものに比べて非常に安価に提供することができる。
【００１３】
本発明の扉の開閉装置は、小型化し、固定機構や閉戸機構を蝶番主体にしたので、扉に部品を取り付ける必要がなくなった。
【００１４】
本発明の扉の開閉装置は、必要に応じて、一人が通れる程度の半開き等の随時位置で、扉を一時固定しうるようにすることができる。
【発明を実施するための最良の形態】
【００１５】
以下、本発明の実施例を図面に基づいて詳しく説明する。
【実施例１】
【００１６】
図１は、本発明の扉の開閉装置の一実施例を示し、（イ）は扉を直角に開いた状態の平面図、（ロ）は扉を半開きの状態の平面図である。図２は、本発明の扉を閉鎖した状態の一実施例を示し、（イ）は上下の分解正面図、（ロ）は下の平面図である。図３は、把手の斜視図、図４と図５は、本発明の扉の開閉装置に使用される蝶番の一実施例を示す。図４は、蝶番を全開した状態で、（イ）は平面図、（ロ）は正面図、（ハ）は背面図、（ニ）は（ハ）を１−１´線で切断した断面図、（ホ）は（ニ）のＡ部を拡大した断面図である。図５は、蝶番の半開き状態で、（イ）は平面図、（ロ）は背面図、（ハ）は（ロ）を２−２´線で切断した断面図、（ニ）は（ハ）のＢ部を拡大した断面図である。図６は、緩衝装置に使用される小型アブソーバの一実施例を示す正面図、図７は扉が全閉状態の小型アブソーバの関係位置を示す平面図である。
【００１７】
図１（イ）は、本発明の扉の開閉装置の扉を直角に開いた状態であるが、本発明の扉の開閉装置１は、扉２と戸枠３と蝶番４とからなっている。蝶番４は、扉２と戸枠３を基端部２ａ，３ａで回動自在に枢着させている。そして蝶番４と戸枠３には、閉戸緩衝機構Ｕを設けている。閉戸緩衝機構Ｕは、具体的には、蝶番４に取り付けたコイルスプリング４１と、戸上枠３´に取り付けた小型アブソーバ５とからなっている。また扉２の先端部２ｂには、把手６が取り付けられている。
【００１８】
図１（ロ）は、扉２を半開きにして、一時固定した状態を示している。この半開きとは、一人が通れる程度の開き途中で、扉を一時固定しうるようにしたものである。本実施例の場合の開き角度θは３０゜で、扉２の横幅が９０ｃｍであると、扉の先端は５０ｃｍ程度開いた状態になるので、一人が通れる程度の開き加減になる。本実施例の場合には、手前が室内側Ｉであり、奥が室外側Ｏになっている。
【００１９】
図２は、本発明の扉を閉鎖した状態の一実施例を示しており、（イ）は上下の分解正面図で、（ロ）は下の平面図である。本実施例の場合の扉２と戸枠３は、閉鎖状態で１８０゜の一列状になっている。その中間の上下には、蝶番４，４´が取り付けられており、蝶番４，４´は、扉２と戸枠３を基端部２ａ，３ａで回動自在に枢着している。そして蝶番４，４´は、軸４２とヒンジ４３ａ，４３ｂとコイルスプリング４１とからなっている。ヒンジ４３ａ，４３ｂは、１．５〜２．５ｍｍ厚のステンレスであることが望ましく、本実施例の場合には、２ｍｍ厚のステンレスを使用している。１．５ｍｍ厚以下であると材質が弱すぎ、２．５ｍｍ厚以上であるとコスト高になりすぎるからである。
【００２０】
本実施例の扉２には、図３に示すような把手６が取り付けられている。本実施例の把手６は、把手の掴み部６１が、縦溝６２内にあって上下にスライドしうるようになっている。従って掴み部６１は、固定されたものでなく、人の背丈に合わせた高さの位置に調節し、固定リング６３を締め付けて、随時固定しうるようになっている。
【００２１】
次の図４と図５は、本発明の扉の開閉装置に使用される蝶番である。図４は、蝶番が全開した状態を示している。（イ）に示すように、蝶番４は、軸４２と両ヒンジ部４３ａ，４３ｂと、両ヒンジ部４３ａ，４３ｂに架設したコイルスプリング４１とからなっている。このコイルスプリング４１は、２〜３ｍｍ径の鋼を使用することが望ましく、本実施例の場合には、２ｍｍ径の鋼を使用し、それを焼き入れしている。２ｍｍ径以下であると付勢力が弱すぎ、３ｍｍ径以上であると付勢力が強すぎるからである。なおコイルスプリングは、鋼だけでなく、チタン等のバネル材使用可能な各種材料を使用することもでき、その際には、径の適切な範囲も夫々に変わってくる。
【００２２】
またコイルスプリング４１は、（ロ）に示すように、両ヒンジ部４３ａ，４３ｂに固着４４ａ，４４ｂして架設される。扉の開閉装置には、扉が閉鎖する方向に作用する力が必要であり、アブソーバはその力に抗して制動による緩衝効果が付与される。そのために、コイルスプリング４１は、扉が閉鎖する方向Ｓ（図１（イ）に記載）に付勢して、取り付けられる。即ちコイルスプリング４１は、扉２と戸枠３が、閉鎖状態の一列状１８０゜になるように付勢されている。
【００２３】
そして図４（ハ）に示すように、一方のヒンジ４３ａは軸４２を中間部で被着し、他方のヒンジ４３ｂは軸４２を上下で被着している。また（ハ）に示すように、他方のヒンジ４３ｂには、背面に開戸方向Ｐへ突出した弾発性の舌片４５を設けている。舌片４５は、図４（ニ）（ホ）に示すように、先端が凸状４６になっており、蝶番が全開した状態で、軸４２の凹部４７と凹凸嵌合で係止して、扉を全開状態で固定するようになっている。なお縦凹溝４８は、凸舌片４６と凹凸嵌合にて、扉を半開き状態で一時停止させるためのものである。この両方の凹凸嵌合４７と４６及び４８と４６が、本発明の開戸固定機構Ｆである。
【００２４】
図５は、蝶番の半開きの状態を示している。（イ）の半開き角度θは、本実施例の場合、前述の如く３０゜にしている。また（ロ）をみれば、前述の一方のヒンジ４４ａが軸４２を中間部で被着し、他方のヒンジ４４ｂが軸４２を上下で被着している状態がよく分かる。（ハ）（ニ）に示すように、他方のヒンジ４４ｂには、背面に開戸方向Ｐへ突出した弾発性の舌片４５を設けており、その先端は、凸状４６になっている。蝶番が半開きの状態で、軸４２の縦凹溝４８と凹凸嵌合で係止し、扉を半開状態で一時固定するようになっている。この状態で、人一人が通ることができる。前回の凹凸嵌合４７と４６と共に、この凹凸嵌合４８と４６が、本発明の開戸固定機構Ｆである。しかし開戸固定機構Ｆは、この他に、図示はしていないが、扉と戸上枠の先端部にＮ極とＳ極の磁石を付設し、扉が閉まる際のバウンドを防止するようにしてもよい。なお開戸固定機構Ｆの係止は、扉の開き角度で、上記３０゜近辺に限らず、９０゜の中間位置、及び１８０゜の全開位置でも係止させることができる。
【００２５】
図６は、本発明の閉戸緩衝機構Ｕとなる、扉の開閉装置に使用される小型アブソーバ５であり、図７は扉が閉まる際に扉２の上部先端部２ｂと戸上枠３との関係を示すものであり、扉２は、図１（イ）のように、コイルスプリング４１によって、常に閉じる方向Ｓに付勢された状態に保たれている。そのため扉２は、閉まる時に戸上枠３´へ強く当たることになるので、緩衝装置としてのアブソーバ５が必要となり、小型アブソーバ５が戸上枠３´に取り付けられる。この小型アブソーバ５は、図６に示すように、ピストン５１ａが引っ張ることは容易であるが、内部に油を充填しているので、５１ｂのように圧縮に対しては、緩衝効果を有するようになっている。なお本実施例に使用した小型アブソーバ５は、不二ラテックス株式会社製のソフトアブソーバ「ＦＡ−１２１２」を使用した。これが、本実施例の場合の閉戸緩衝機構Ｕである。
【００２６】
本実施例の場合は、両ヒンジの開き角度が１８０゜で一列状になった時、閉鎖状態である例を示す。しかし、両ヒンジが閉じた時を、閉鎖状態とすることもできる。なおコイルスプリングは、回転軸の径程度の小さなものとすることもできるし、また図示してないが、コイルスプリングに安全カバーを被せることもできる。
【実施例２】
【００２７】
本発明は、開戸固定機構を設けずに、簡単な機構にすることもできる。図８は、本発明の扉の開閉装置の別の実施例を示す、蝶番を全開した状態の背面図である。本実施例の場合には、一方のヒンジ１４３ａは軸１４２を中間部で被着し、他方のヒンジ１４３ｂは軸１４２を上下で被着している。そして、実施例１のような舌片は設けられていない。
【００２８】
そしてヒンジ１４３ａ，１４３ｂは、１〜２ｍｍ厚のステンレスであることが望ましく、本実施例の場合には、１．２ｍｍ厚のステンレスを使用している。１ｍｍ厚以下だと材質が弱すぎ、２ｍｍ厚以上だとコスト高になりすぎるからである。またコイルスプリング１４１は、１．５〜２．５ｍｍ径の鋼を使用することが望ましく、本実施例の場合には、２ｍｍ径の鋼を使用し、それを焼き入れしている。１．５ｍｍ径以下であると付勢力が弱すぎ、２．５ｍｍ径以上であると付勢力が強すぎるからである。なおコイルスプリングは、鋼だけでなく、チタン等のバネル材使用可能な各種材料を使用することもできる。なおコイルスプリングは、回転軸の径程度の小さなものとすることもできるし、また図示してないが、コイルスプリングに安全カバーを被せることもできる。
【図面の簡単な説明】
【００２９】
【図１】本発明の扉の開閉装置の一実施例を示し、（イ）は扉を直角に開いた状態の平面図、（ロ）は扉を半開きの状態の平面図である。
【図２】本発明の扉を閉鎖した状態の一実施例を示し、（イ）は上下の分解正面図、（ロ）は下の平面図である。
【図３】本発明の扉の開閉装置に使用される把手の一実施例を示す斜視図である。
【図４】本発明の扉の開閉装置に使用される蝶番を全開した状態で、（イ）は平面図、（ロ）は正面図、（ハ）は背面図、（ニ）は（ハ）を１−１´線で切断した断面図、（ホ）は（ニ）のＡ部を拡大した断面図である。コイルスプリング周りの一実施例を示す略示正面図である。
【図５】本発明の扉の開閉装置に使用される蝶番の半開き状態で、（イ）は平面図、（ロ）は背面図、（ハ）は（ロ）を２−２´線で切断した断面図、（ニ）は（ハ）のＢ部を拡大した断面図である。
【図６】本発明の扉の緩衝装置に使用される小型アブソーバの一実施例を示す正面図である。
【図７】本発明の扉が閉まる際に扉の上部先端部と戸上枠との関係位置を示す平面図である。
【図８】本発明の扉の開閉装置の別の実施例を示す蝶番を全開した状態の背面図である。
【符号の説明】
【００３０】
１                  扉の開閉装置
２                  扉
２ａ                扉の基端部
２ｂ                扉の先端部
３                  戸枠
３ａ                戸枠の基端部
３´                戸上枠
４                  蝶番
４´                蝶番
４１，１４１        コイルスプリング
４２，１４２        蝶番の軸
４３ａ，４３ｂ      蝶番のヒンジ
１４３ａ，１４３ｂ  蝶番のヒンジ
４４ａ，４４ｂ      コイルスプリングの固着
４５                弾発性の舌片
４６                舌片先端の凸状
４７                軸の凹部
４８                縦凹溝
５                  小型アブソーバ
５１ａ，５１ｂ      小型アブソーバのピストン
６                  把手
６１                把手の掴み部
６２                把手の縦溝
６３                把手の固定リング
Ｆ                  開戸固定機構
Ｕ                  閉戸緩衝機構
Ｉ                  室内側
Ｏ                  室外側
Ｐ                  扉の開戸方向
Ｓ                  扉の閉鎖方向
θ                  一人が通れる程度の開き角度
【図１】
2009097157.tif 000003
【図２】
2009097157.tif 000004
【図３】
2009097157.tif 000005
【図４】
2009097157.tif 000006
【図５】
2009097157.tif 000007
【図６】
2009097157.tif 000008
【図７】
2009097157.tif 000009
【図８】
2009097157.tif 000010